(57)【特許請求の範囲】
【請求項１】
遊技盤に設けた貫通孔状の設置部に前側から取付けられるベース部材と、このベース部材の前側に組付けられるカバー部材と、前記ベース部材およびカバー部材の間に回転自在に配設され、該ベース部材の裏側に組付けたモータで駆動される回転体とから構成されるパチンコ遊技機の回転式入賞装置において、
前記回転体に後方へ突出するよう形成された回転支軸の後端部に後方に開放する凹状に設けられ、断面正多角形状の係合部と、
前記モータの駆動軸先端が挿入固定される孔を有する連結部材の前端部側に凸状に形成され、前記係合部と同一の断面正多角形状に構成されて該係合部に対し係脱可能に嵌合し、その係合状態で係合部と一体回転可能な被係合部とを備え、
前記回転体は、該回転体の前側に設けた回転支持孔に前記カバー部材に設けた枢支軸が嵌合することで回転可能に支持されると共に、前記回転支軸が前記ベース部材に設けた軸支持孔に嵌合することで該回転体の裏側がベース部材に回転可能に支持されて、前記係合部がベース部材の裏側に臨むと共に、該係合部に前記被係合部を嵌合した状態で、前記連結部材の孔に挿入固定された前記モータの駆動軸が、該係合部の後方開口端より前側まで延在するよう構成した
ことを特徴とするパチンコ遊技機の回転式入賞装置。
【請求項２】
前記カバー部材に一対の棒状突出部が後方へ延出するよう形成されると共に、前記ベース部材に一対の嵌合孔が形成され、該カバー部材およびベース部材は、該棒状突出部が嵌合孔に嵌入して組付けられる請求項１記載のパチンコ遊技機の回転式入賞装置。
【発明の詳細な説明】
【０００１】
【発明の属する技術分野】
この発明は、パチンコ遊技機の回転式入賞装置に関し、更に詳細には、遊技盤に設けた貫通孔状の設置部に前側から取付けられるベース部材と、このベース部材の前側に組付けられるカバー部材と、前記ベース部材およびカバー部材の間に回転自在に配設され、該ベース部材の裏側に組付けたモータで駆動される回転体とから構成されるパチンコ遊技機の回転式入賞装置に関するものである。
【０００２】
【従来の技術】
パチンコ遊技機における遊技盤には、当該遊技機の遊技内容に応じて各種の入賞口や入賞装置等が配設され、遊技盤内に打出された遊技球がこれら入賞口または入賞装置に入球することによりセーフ球が発生するようになっている。このうち前記入賞装置では、▲１▼入球口の入球領域幅を広狭変更し得る可変タイプ、▲２▼入球口を開閉し得る開閉タイプ等があり、セーフ球の発生確率を適宜に変更させ得るようになっている。そして前記▲２▼の開閉タイプの入賞装置では、電磁ソレノイドで開閉扉を開閉するアタッカー式や、モータで回転体を回転させる回転式等がある。
【０００３】
ここで前記回転式の入賞装置では、遊技盤に設けた貫通孔状の設置部に前側から取付けられるベース部材と、このベース部材の前側に組付けられるカバー部材と、前記ベース部材およびカバー部材の間に回転自在に配設され、該ベース部材の裏側に組付けたモータで駆動される回転体等から構成されている。そして、前記カバー部材には球通入口が形成され、前記回転体には球保持部が形成されると共に、前記ベース部材には球通出口が形成され、前記回転体が定速回転または回動しているもとで前記球通入口と球保持部との整合状態では遊技球の受入れが可能で、これら球通入口と球保持部との非整合状態では遊技球の受入れが不可能となっている。従って、前記球通入口と球保持部とが整合したもとで該球保持部に受入れられた遊技球は、前記回転体の回転に伴って前記球保持部が前記球通出口に整合した際に、該球通出口を介してベース部材の裏側へ通出されて遊技盤裏側へ移動するようになっている。
【０００４】
【発明が解決しようとする課題】
ところで、前述した従来の回転式入賞装置では、ベース部材の裏側に固定した前記モータの駆動軸と該ベース部材の前側に配設した前記回転体とを連結固定するに際し、▲１▼螺子を使用して螺子止めする、▲２▼接着剤を使用して接着する、等の方法が採用されていた。このため、例えば前記モータが故障して交換を要する場合には、少なくとも入賞装置全体を遊技盤から一旦取外さなければならなかった。そして前記▲１▼の形態では、回転体と駆動軸とを連結していた螺子を弛外さなければモータを組外すことができず、また新品のモータを組付ける際にも前記螺子を使用して締込みを行なわなければならず、モータの脱着作業に時間と手間がかかり作業効率が悪い欠点を内在していた。一方、前記▲２▼の形態では、回転体と駆動軸との分離そのものが困難であるから、前記モータのみの交換が不可能で入賞装置を一括交換しなければならず、コストが大幅に嵩んでしまう問題を内在していた。
【０００５】
【発明の目的】
本発明は、前述した従来の技術に内在している前記課題に鑑み、これを好適に解決するべく提案されたものであって、回転体に設けた係合部と駆動軸に設けた被係合部との係合・脱離に基づき、遊技盤裏側に臨んだベース部材に対するモータの組外しおよび組付けを行ない得るよう構成することで、モータの脱着作業の合理化およびコスト低減等を可能としたパチンコ遊技機の回転式入賞装置を提供することを目的とする。
【０００６】
【課題を解決するための手段】
前述した課題を克服し、所期の目的を好適に達成するため本発明は、遊技盤に設けた貫通孔状の設置部に前側から取付けられるベース部材と、このベース部材の前側に組付けられるカバー部材と、前記ベース部材およびカバー部材の間に回転自在に配設され、該ベース部材の裏側に組付けたモータで駆動される回転体とから構成されるパチンコ遊技機の回転式入賞装置において、
前記回転体に後方へ突出するよう形成された回転支軸の後端部に後方に開放する凹状に設けられ、断面正多角形状の係合部と、
前記モータの駆動軸先端が挿入固定される孔を有する連結部材の前端部側に凸状に形成され、前記係合部と同一の断面正多角形状に構成されて該係合部に対し係脱可能に嵌合し、その係合状態で係合部と一体回転可能な被係合部とを備え、
前記回転体は、該回転体の前側に設けた回転支持孔に前記カバー部材に設けた枢支軸が嵌合することで回転可能に支持されると共に、前記回転支軸が前記ベース部材に設けた軸支持孔に嵌合することで該回転体の裏側がベース部材に回転可能に支持されて、前記係合部がベース部材の裏側に臨むと共に、該係合部に前記被係合部を嵌合した状態で、前記連結部材の孔に挿入固定された前記モータの駆動軸が、該係合部の後方開口端より前側まで延在するよう構成したことを特徴とする。
【０００７】
【作用】
カバー部材および回転体を配設したベース部材の裏側に対するモータの組付け・組外しに際し、該回転体に設けた係合部と当該モータの駆動軸に設けた被係合部との係合・脱離が同時に図られ、前記ベース部材等を遊技盤に取付けた状態で遊技盤裏側においてモータの脱着作業を行なうことが可能である。従って、例えばモータ故障によりモータの交換を要する場合は、モータ組付用の螺子の弛外し・締込み作業のみで該モータの交換を行なうことができ、駆動軸と回転体との連結・分離に伴う別途の作業が一切必要ないから、モータ交換作業の合理化を図り得る。また、モータ交換に際してはモータのみを交換すればよく、前記ベース部材、カバー部材および回転体等はそのまま継続使用が可能となるから、モータ交換に係るコスト低減も可能となる。また、回転体は、該回転体の回転体の前側に設けた回転支持孔にカバー部材に設けた枢支軸が嵌合することで該カバー部材に回転可能に支持されると共に、回転支軸がベース部材に設けた軸支持孔に嵌合することで該回転体の裏側がベース部材に回転可能に支持されるので、ベース部材からモータを組外しても回転体が脱落することはない。しかも、回転体はベース部材とカバー部材に支持されているから、係合部と被係合部とが係合する際に指先等で保持する必要がなく、係合部および被係合部の確実かつ適切な係合が図られる。
【０００８】
【発明の実施の形態】
次に、本発明に係るパチンコ遊技機の回転式入賞装置につき、好適な実施例を挙げ、添付図面を参照しながら以下詳細に説明する。図１は、本発明の好適実施例に係るパチンコ遊技機の回転式入賞装置の概略斜視図、図２は該回転式入賞装置を遊技盤の設置部に取付けた状態の側断面図、また図３は回転式入賞装置の分解斜視図である。本実施例の回転式入賞装置２０は、例えば所謂「権利物」とも称される第３種パチンコ遊技機用に構成された遊技盤１０に取付けて、第３種始動口として実施に供されるものである。
【０００９】
前記回転式入賞装置２０は、前記遊技盤１０に設けた貫通孔状の設置部１１に前側から取付けられるベース部材２１と、このベース部材２１の前側に組付けられるカバー部材２２と、前記ベース部材２１およびカバー部材２２の間に回転自在に配設され、該ベース部材２１の裏側に組付けたモータ２４で駆動される回転体２３とから基本的に構成されている。また前記ベース部材２１の裏側には、入賞球の通過を検出するためのスイッチ２５が装着されるようになっている。
【００１０】
(ベース部材)
前記ベース部材２１は、合成樹脂製の一体成形部品であって、前記遊技盤１０の前面に図示しない螺子で固定される化粧板兼用の取付板部２６と、この取付板部２６の背面に形成されたモータ設置部２７と、前記取付板部２６の背面で前記モータ設置部２７の下方に形成されたスイッチ設置部２８等を有している。また前記取付板部２６には、球通出口２９および軸支持孔３０が開設される一方、前記カバー部材２２の取付用として供される嵌合孔３１,３１が形成されている。なお取付板部２６の背面には、前記球通出口２９に対応して球案内部材３２が取付けられ、該球通出口２９を介して取付板部２６裏側へ通出された入賞球を前記スイッチ２５の検出口２５ａへ案内するようになっている。
【００１１】
(カバー部材)
前記カバー部材２２は、透明合成樹脂製の一体成形部品であって、前記回転体２３を覆蓋保護し得る略円筒体状を呈し、内部に収容された前記回転体２３および入賞球を視認し得るようになっている。そして円筒壁部の上方には、遊技球の通過を許容して入賞口として機能する球通入口３３が形成されている。また円筒壁部の後端縁には、前記ベース部材２１に形成された前記嵌合孔３１,３１に対応的に嵌入する棒状突出部３４,３４が、後方へ延出した状態に一体成形されている。更に前壁部の裏側中央には、前記回転体２３を枢支するための枢支軸３５が一体的に突設されている。
【００１２】
(回転体)
前記回転体２３は、合成樹脂製の一体成形部品であって、前記カバー部材２２の内側に収容され得るサイズの略円筒体状を呈している。そして円筒壁部には、周方向および後方に開口し、１個の入賞球(パチンコ球)が収容可能な球保持部３６が凹設されている。この球保持部３６は、入賞装置１０の正面から見た際に、回転体２３に回転に伴って該回転体２３の上方に位置した際に前記球通入口３３に整合し、また該回転体２３の左方に位置した際に前記球通出口２９に整合するようになっている。そして円形前壁において、前記球保持部３６に対応した部位に球確認孔３９が穿設されており、該球保持部３６内に収容されている入賞球の有無を、透明な前記カバー部材２２の前側から透視確認し得るようになっている。また円形前壁の裏側中央には、回転支軸３７が後方へ延出した状態に一体的に形成されると共に、該円形前壁の前面中央には、前記回転支軸３７内へ延在する回転支持孔３８が形成されている。なお前記回転支軸３７は、前記ベース部材２１に設けた前記軸支持孔３０に嵌合し、また前記回転支持孔３８には、前記カバー部材２２に設けた前記枢支軸３５が嵌合するようになっており、ベース部材２１と該ベース部材２１の前側に取付けられたカバー部材２２との間に配設された回転体２３は、回転支軸３７と軸支持孔３０との嵌合および回転支持孔３８と枢支軸３５との嵌合により、自由回転可能に枢支されている。
【００１３】
(モータ)
前記モータ２４は、そのケース前側にギアボックス４０を一体的に装備しており、このギアボックス４０の前側に駆動軸４１が延出している。前記ギアボックス４０には、図示しない螺子の挿通孔を有する取付片４２,４２が一体的に形成され、この取付片４２,４２を利用して前記ベース部材２１のモータ設置部２７へ組付けられるようになっている。なおケースには、図示しない制御基板との電気的な接続が図られるモータ基板４３が取付けられている。
【００１４】
(連結機構)
次に、前述のように構成された実施例の回転式入賞装置２０において、前記ベース部材２１の前側でカバー部材２２に覆蓋されながら回転自在に配設される前記回転体２３と、該ベース部材２１の裏側でモータ設置部２７に組付けられる前記モータ２４とを、係脱可能に連結するための連結機構につき説明する。すなわち実施例の連結機構は、図３〜図６に示すように、前記回転体２３の回転支軸３７に設けられ、前記ベース部材２１の裏側に臨む第１連結部４５と、前記モータ２４の駆動軸４１先端に設けられ、前記第１連結部４５に対し該モータ２４の組付方向へ係脱可能に係合すると共に、その係合状態で該第１連結部４５と一体回転可能な第２連結部４６とから構成されている。
【００１５】
前記第１連結部４５は、前記軸支持孔３０に嵌合してベース部材２１の裏側に臨んでいる前記回転支軸３７の後端縁に設けた凹状の係合部４７を有し、実施例では開口形状が六角形を呈する六角穴とされている。一方、前記第２連結部４６は、前記駆動軸４１の先端に螺子固定される連結部材４４に形成されており、前記係合部４７に係脱可能な凸状の被係合部４８を有し、実施例では六角棒とされている。すなわち、六角穴状とされる前記係合部４７および六角棒状とされる前記被係合部４８は、その係合状態において一体的な回転が可能な断面形状に設定されており、これら係合部４７および被係合部４８による第１連結部４５と第２連結部４６との係合により、駆動軸４１に対する回転体２３の連結および回り止めが図られる。
【００１６】
このように構成された連結構造では、カバー部材２２および回転体２３を前側に配設したベース部材２１裏側のモータ設置部２７に、図示しない螺子を利用してモータ２４を組付ける場合、該モータ設置部２７にモータ２４を適切な向きおよび姿勢で位置決めすれば第１連結部４５と第２連結部４６とが係合するようになり、これにより回転体２３とモータ２４との連結が図られるようになっている。一方、モータ設置部２７に組付けられていたモータ２４を組外す場合には、モータ２４を固定していた螺子を弛外したもとで該モータ２４をベース部材２１の後方へ引張れば、係合部４７から被係合部４８が脱離して第１連結部４５と第２連結部４６との係合が解除され、これにより回転体２３とモータ２４との連結解除が図られるようになっている。
【００１７】
【実施例の作用】
実施例の回転式入賞装置２０は、ベース部材２１の前側に回転体２３およびカバー部材２２を予め配設したもとで、該ベース部材２１のモータ設置部２７に対してモータ２４を組付ける。ここで、ベース部材２１の裏側からモータ設置部２７に対してモータ２４を適切な向きおよび姿勢で位置決めすれば、回転体２３に設けた第１連結部４５の係合部４７に対してモータ２４の駆動軸４１に設けた第２連結部４６の被係合部４８が整合嵌入して係合するようになり、モータ設置部２７に対するモータ２４の組付作業と同時に回転体２３と該モータ２４との連結が図られる。すなわち実施例の回転式入賞装置２０では、第１連結部４５と第２連結部４６との係合により回転体２３とモータ２４との連結が図られ、しかも両部４７,４８の係合がモータ２４の組付作業と同時になされるから、これら回転体２３とモータ２４とを螺子を使用して螺子固定したり、接着剤を使用して接着する作業等を一切必要とせず、組立作業の合理化を図り得る。
【００１８】
前記スイッチ２５や球案内部材３２等を組付けてユニット化された実施例の回転式入賞装置２０は、図２に示すように、遊技盤１０に設けた貫通孔状の設置部１１に対して該遊技盤１０の前側からセットされ、ベース部材２１の前記取付板部２６を遊技盤１０に螺子固定することで取付固定される。この時、ベース部材２１裏側のモータ設置部２７に組付けられた前記モータ２４は、該設置部１１の裏側開口部を介して遊技盤１０の裏側へ臨み、該遊技盤１０裏面から突出した状態とされている。
【００１９】
そして当該パチンコ遊技機の遊技中においては、前記モータ２４が例えば定速駆動回転することで、第１連結部４５と第２連結部４６との係合作用下に、前記回転体２３が所要方向へ定速追従回転している。そして、回転体２３の回転中において、前記球通入口３３と球保持部３６とが整合した際に該球通入口３３に到来した遊技球は、この球通入口３３を介して入賞球として球保持部３６内へ受入れられ、この球保持部３６が前記球通出口２９に整合した際に該球通出口２９を介して取付板部２６の裏側へ通出され、前記球案内部材３２によりスイッチ２５の検出口２５ａへ案内されて検出される。
【００２０】
(モータの交換)
そして、遊技盤１０に取付けられた回転式入賞装置２０において前記モータ２４の交換を要する場合は、前記ベース部材２１等を遊技盤１０に取付けたままで、遊技盤１０裏側においてモータ２４の脱着作業を行ない得る。先ずモータ２４を組外す場合には、ベース部材２１のモータ設置部２７に対するモータ固定用の螺子(図示せず)を弛外したもとで該モータ２４を遊技盤１０の後方へ引張れば、係合部４７から被係合部４８が脱離して第１連結部４５と第２連結部４６との係合が解除され、ベース部材２１からモータ２４を組外すことが可能とされる。なお前記回転体２３は、回転支軸３７と軸支持孔３０との嵌合および回転支持孔３８と枢支軸３５との嵌合によりベース部材２１とカバー部材２２に支持されているから、モータ設置部２７からモータ２４を組み外しても脱落することはない。
【００２１】
次にモータ２４を組付ける場合には、前記設置部１１の開口部を介して遊技盤１０の裏側に臨んだベース部材２１のモータ設置部２７に対し、モータ２４を適切な向きおよび姿勢で位置決めすれば、係合部４７に被係合部４８が整合嵌入して第１連結部４５と第２連結部４６とが係合し、モータ設置部２７に対するモータ２４の組付作業と同時に回転体２３と該モータ２４との連結が図られる。なお前記回転体２３は、ベース部材２１とカバー部材２２に支持されているから、第１連結部４５と第２連結部４６とが係合する際に指先等で保持する必要がなく、第１連結部４５および第２連結部４６の確実かつ適切な係合が図られる。
【００２２】
このように実施例の回転式入賞装置２０は、回転体２３に設けた第１連結部４５とモータ２４の駆動軸４１に設けた第２連結部４６との係合により回転体２３とモータ２４との連結が図られ、しかも両連結部４５,４６の係合がモータ設置部２７に対するモータ２４の組付作業と同時になされる。従って、前記回転体２３とモータ２４とを螺子を使用して螺子固定したり、接着剤を使用して接着する作業等を一切必要としないから、モータ２４の組付作業の合理化を図り得る。しかも、ベース部材２１、カバー部材２２および回転体２３等を遊技盤１０に取付けた状態で、モータ組付用の螺子の弛外し・締込みのみの作業でモータ２４の脱着作業が可能となっているから、モータ２４の交換作業が簡単かつ迅速に行ない得る。
【００２３】
従って、例えばモータ故障によりモータ２４の交換を要する場合は、該モータ２４のみを交換すればよく、前記ベース部材２１、カバー部材２２および回転体２３等はそのまま継続使用が可能となるから、モータ交換に係るコスト低減も可能となる。
【００２４】
なお前記実施例では、回転体２３の回転支軸３７に設けた第１連結部４５を凹状の係合部４７とし、モータ２４の駆動軸４１に設けた第２連結部４６を凸状の被係合部４８とした場合を例示したが、例えば図７に示すように、前記第１連結部４５を六角棒状を呈する凸状の係合部４７とし、第２連結部４６を六角穴状を呈する凹状の被係合部４８としてもよい。この場合でも、ベース部材２１のモータ設置部２７に対するモータ２４の組付け・組外しに際して、前記係合部４７と被係合部４８との係合・脱離が同時に図られ、前記実施例と同様の作用効果を得ることが可能である。
【００２５】
更に前記実施例では、第１連結部４５を六角穴状の係合部４７とし、第２連結部４６を六角棒状の被係合部４８としたが、この形状はこれに限定されるものではない。すなわち、Ｉ）ベース部材２１のモータ設置部２７に対するモータ２４の着脱に際して係合・脱離が円滑かつ確実になされる、ＩＩ）駆動軸４１に対する回転体２３の回り止めがなされる、等の条件を満していれば六角以外の断面形状でもよく、具体的な図示は省略するが、例えば三角形や四角形等の多角形状が実施可能である。
【００２６】
【発明の効果】
以上説明した如く、本発明に係るパチンコ遊技機の回転式入賞装置によれば、カバー部材および回転体を配設したベース部材の裏側に対するモータの組付け・組外しに際し、該回転体に設けた係合部と当該モータの駆動軸に設けた被係合部との係合・脱離が同時に図られる。従って、ベース部材に対するモータの組付け・組外し作業は、該ベース部材等を遊技盤に取付けた状態で、遊技盤裏側において行ない得る利点がある。従って、例えばモータ故障によりモータの交換を要する場合は、モータ組付用の螺子の弛外し・締込み作業のみで該モータの交換を行なうことができ、駆動軸と回転体との連結・分離に伴う別途の作業が一切必要ないから、モータ交換作業の合理化を図り得る有益な効果を奏する。また、モータ交換に際してはモータのみを交換すればよく、前記ベース部材、カバー部材および回転体等はそのまま継続使用が可能となるから、モータ交換に係るコスト低減も可能となる。なお回転体とモータとは、凹状の係合部と凸状の被係合部との係合により、好適な連結が図られて一体的に回転する。また、回転体は、該回転体の前側に設けた回転支持孔にカバー部材に設けた枢支軸が嵌合することで回転可能に支持されると共に、回転支軸が前記ベース部材に設けた軸支持孔に嵌合することで該回転体の裏側がベース部材に回転可能に支持されるので、ベース部材からモータを組外しても回転体が脱落することはない。しかも、回転体はベース部材とカバー部材に支持されているから、係合部と被係合部とが係合する際に指先等で保持する必要がなく、係合部および被係合部の確実かつ適切な係合が図られる。
【図面の簡単な説明】
【図１】本発明の好適実施例に係るパチンコ遊技機の回転式入賞装置の概略斜視図である。
【図２】実施例の回転式入賞装置を遊技盤の設置部に取付けた状態の側断面図である。
【図３】回転式入賞装置の分解斜視図である。
【図４】ベース部材の背面側に臨んだ第１連結部およびモータの前面側に臨んだ第２連結部とを示す説明図である。
【図５】回転式入賞装置を遊技盤の設置部に取付けた状態の側断面図であって、回転体の回転支軸に設けた係合凹部と、モータの駆動軸に設けた係合凸部とが係合した状態を示している。
【図６】回転式入賞装置を遊技盤の設置部に取付けた状態の側断面図であって、第１連結部の係合部と第２連結部の被係合部との係合・脱離により、遊技盤に取付けたベース部材裏側のモータ設置部に対してモータが着脱可能であることを示している。
【図７】別形態の第１連結部および第２連結部を実施した回転式入賞装置を遊技盤の設置部に取付けた状態の側断面図であって、回転体の回転支軸に設けた係合部と、モータの駆動軸に設けた被係合部とが係合した状態を示している。
【符号の説明】
１０  遊技盤
１１  設置部
２１  ベース部材
２２  カバー部材
２３  回転体
２４  モータ
３０  軸支持孔
３１  嵌合孔
３４  棒状突出部
３５  枢支軸
３７  回転支軸
３８  回転支持孔
４１  駆動軸
４４  連結部材
４７  係合部
４８  被係合部
【図１】
0004542285.tif 000002
【図２】
0004542285.tif 000003
【図３】
0004542285.tif 000004
【図４】
0004542285.tif 000005
【図５】
0004542285.tif 000006
【図６】
0004542285.tif 000007
【図７】
0004542285.tif 000008